(57)【要約】【課題】  表示部の裏面より表示素子の配置替え作業を行う構造であっても、表示部の裏面から、地図シートの透光部の位置、つまり、表示素子の取付位置を容易に判別できて、表示素子の配置替え作業を容易に行えるようにすること。【解決手段】  シート平面内に所定間隔で予め設定された複数のポイントのうちの少なくとも１つに透光部が表示され、警戒監視区域が地図等によってグラフィック表示される地図シートと、該地図シートの裏面側に設けられ、前記複数のポイントに対応して、複数の表示素子取付用穴が形成される表示素子取付部と、前記地図シートに表示された透光部の位置に対応した表示素子取付用穴内に、前記表示素子取付部の裏面側から挿着される表示素子と、を備えた地図式の表示部を有する火災受信機において、前記地図シートに表示されている透光部の配置を、左右に反転させた状態で透光部を表示した表示素子取付用シートを設けた。【選択図】  図７
2008158809.tif 000002
【特許請求の範囲】
【請求項１】
シート平面内に所定間隔で予め設定された複数のポイントのうちの少なくとも１つに透光部が表示され、警戒監視区域が地図等によってグラフィック表示される地図シートと、該地図シートの裏面側に設けられ、前記複数のポイントに対応して、複数の表示素子取付用穴が形成される表示素子取付部と、前記地図シートに表示された透光部の位置に対応した表示素子取付用穴内に、前記表示素子取付部の裏面側から挿着される表示素子と、を備えた地図式の表示部を有する火災受信機において、
前記地図シートに表示されている透光部の配置を、左右に反転させた状態で透光部を表示した表示素子取付用シートを設けたことを特徴とする火災受信機。
【請求項２】
前記表示素子取付用シートおよび表示素子取付部の裏面側には、前記複数のポイントの位置座標を確認可能な符号が記されていることを特徴とする請求項１記載の火災受信機。
【請求項３】
前記表示素子取付用シートは、前記表示素子取付部の裏面側に配置されることを特徴とする請求項１又は２記載の火災受信機。
【請求項４】
地図式の表示部を有する火災受信機に用いられる表示素子取付用シートの製造方法であって、
警戒監視区域の地図等を表示するグラフィックデータ上であって、所定間隔で予め設定された複数のポイントのうちの少なくとも１つのポイントに透光部を表示して、地図シートのグラフィックデータとして、パソコン上で編集する地図シートデータ編集工程と；
前記編集された地図シートのグラフィックデータに基づいて、前記地図シートのグラフィックデータに表示されている透光部の配置を、左右に反転させた状態で透光部を表示して、表示素子取付用シートのグラフィックデータとして、パソコン上で編集する表示素子取付用シートデータ編集工程と；
上記編集された表示素子取付用シートのグラフィックデータを、所定のシートに印刷し、表示素子取付用シートを作る表示素子取付用シート印刷工程と；
を有することを特徴とする表示素子取付用シートの製造方法。
【発明の詳細な説明】
【技術分野】
【０００１】
本発明は、警戒監視区域が地図等によってグラフィック表示される地図式の表示部を有する火災受信機およびそれに用いられる表示素子取付用シートの製造方法に関する。
【背景技術】
【０００２】
従来から、警戒監視区域が地図等によってグラフィック表示された表示部を有する地図表示機能を備えた火災受信機が知られている（例えば、特許文献１参照）。この火災受信機は、検知手段である警戒監視区域に設けられた火災感知器による火災感知結果を、表示部に設けた表示素子の点灯の状態にて表示するようにしている。
【０００３】
この表示部は、警戒監視区域が地図等によってグラフィック表示された表面パネル、複数の取付孔が形成されたランプ取付部、表示素子、例えば、発光ダイオード（以下、ＬＥＤという）よりなり、表面パネルには、火災感知器の設置場所等に合わせて透光部が表示されている。表示部は、表面パネルに描かれた地図の透光部に合わせて、ランプ取付部の所望の取付孔に、その裏面側からＬＥＤを差し込み固定するものであり、そのＬＥＤの点灯の状態にて、使用者に警戒監視区域の火災の発生状態を直接的に知らせることができる。
【０００４】
ところで、火災感知器の設置場所などの変更などにより、度々、警戒監視区域のレイアウト変更が行われる。すると、火災受信機の表示部もそれに合わせて変更しなければならないため、次のようにして表示部の変更が行われる。まず古い表面パネルを破棄して、新たなレイアウトの地図が印刷されたものに取り替える。つぎに、表面パネルの前面側から、表面パネルに描かれたレイアウト変更後の地図の透光部の位置を確認する。その後、ランプ取付部の裏面側に回り、ＬＥＤを取付孔から取り外して、レイアウト変更後の地図の透光部に合わせて、ランプ取付部の所望の取付孔に、その裏面側からＬＥＤを挿入して固定する。
【特許文献１】実開昭５５−１０３７８７号公報。
【発明の開示】
【発明が解決しようとする課題】
【０００５】
上記のように、表示部の裏面よりＬＥＤの配置替え作業を行う構造では、ＬＥＤの配置替え作業の際に、表示部の裏面から、表面パネルの透光部の位置、つまり、ＬＥＤの取付位置を容易に判別することができず、表示部の前面側から表面パネルの透光部の位置を確認する必要があったので、ＬＥＤの配置替え作業が煩雑であった。
【０００６】
本発明は以上の問題を解決するためになされたもので、表示部の裏面より表示素子の配置替え作業を行う構造であっても、表示部の裏面から、地図シートの透光部の位置、つまり、表示素子の取付位置を容易に判別できて、表示素子の配置替え作業を容易に行えるようにすることを目的とする。
【課題を解決するための手段】
【０００７】
本発明は、シート平面内に所定間隔で予め設定された複数のポイントのうちの少なくとも１つに透光部が表示され、警戒監視区域が地図等によってグラフィック表示される地図シートと、該地図シートの裏面側に設けられ、前記複数のポイントに対応して、複数の表示素子取付用穴が形成される表示素子取付部と、前記地図シートに表示された透光部の位置に対応した表示素子取付用穴内に、前記表示素子取付部の裏面側から挿着される表示素子と、を備えた地図式の表示部を有する火災受信機において、前記地図シートに表示されている透光部の配置を、左右に反転させた状態で透光部を表示した表示素子取付用シートを設けたことを特徴とする。
【０００８】
また、前記表示素子取付用シートおよび表示素子取付部の裏面側には、前記複数のポイントの位置座標を確認可能な符号が記されていることを特徴する。また、前記表示素子取付用シートは、前記表示素子取付部の裏面側に配置されることを特徴とする。
【０００９】
また本発明は、地図式の表示部を有する火災受信機に用いられる表示素子取付用シートの製造方法であって、警戒監視区域の地図等を表示するグラフィックデータ上であって、所定間隔で予め設定された複数のポイントのうちの少なくとも１つのポイントに透光部を表示して、地図シートのグラフィックデータとして、パソコン上で編集する地図シートデータ編集工程と；前記編集された地図シートのグラフィックデータに基づいて、前記地図シートのグラフィックデータに表示されている透光部の配置を、左右に反転させた状態で透光部を表示して、表示素子取付用シートのグラフィックデータとして、パソコン上で編集する表示素子取付用シートデータ編集工程と；上記編集された表示素子取付用シートのグラフィックデータを、所定のシートに印刷し、表示素子取付用シートを作る表示素子取付用シート印刷工程と；を有することを特徴とする。
【発明の効果】
【００１０】
本発明は、シート平面内に所定間隔で予め設定された複数のポイントのうちの少なくとも１つに透光部が表示され、警戒監視区域が地図等によってグラフィック表示される地図シートと、該地図シートの裏面側に設けられ、前記複数のポイントに対応して、複数の表示素子取付用穴が形成される表示素子取付部と、前記地図シートに表示された透光部の位置に対応した表示素子取付用穴内に、前記表示素子取付部の裏面側から挿着される表示素子と、を備えた地図式の表示部を有する火災受信機において、前記地図シートに表示されている透光部の配置を、左右に反転させた状態で透光部を表示した表示素子取付用シートを設けた。
【００１１】
表示部の裏面よりＬＥＤの配置替え作業を行う際に、表示素子取付用シートの透光部の位置を確認する。表示部の裏面からでは、表示素子取付用シートの透光部の位置は地図シートの透光部の位置と一致するため、地図シートの透光部の位置、つまり、表示素子の取付位置を容易に判別できる。そして、透光部の位置に対応した表示素子取付部の表示素子取付用穴内に表示素子を挿着する。このように、表示部の前面側から地図シートの透光部の位置を確認する必要がなくなったので、表示素子の配置替え作業を容易に行える。
【００１２】
また、前記表示素子取付用シートおよび表示素子取付部の裏面側には、前記複数のポイントの位置座標を確認可能な符号が記されているので、どの表示素子取付用穴に表示素子を挿着すればよいかが容易に判別でき、表示素子の配置替え作業を容易に行える。
【００１３】
また、前記表示素子取付用シートは、前記表示素子取付部の裏面側に配置されるので、表示素子取付用シートの透光部の位置が、表示素子を挿着する表示素子取付用穴の位置と重なって配置され、表示素子の配置替え作業を容易に行える。
【００１４】
また本発明は、地図式の表示部を有する火災受信機に用いられる表示素子取付用シートの製造方法であって、警戒監視区域の地図等を表示するグラフィックデータ上であって、所定間隔で予め設定された複数のポイントのうちの少なくとも１つのポイントに透光部を表示して、地図シートのグラフィックデータとして、パソコン上で編集する地図シートデータ編集工程と；前記編集された地図シートのグラフィックデータに基づいて、前記地図シートのグラフィックデータに表示されている透光部の配置を、左右に反転させた状態で透光部を表示して、表示素子取付用シートのグラフィックデータとして、パソコン上で編集する表示素子取付用シートデータ編集工程と；上記編集された表示素子取付用シートのグラフィックデータを、所定のシートに印刷し、表示素子取付用シートを作る表示素子取付用シート印刷工程と；を有する。このようにして製造された表示素子取付用シートを利用することによって、表示部の前面側から地図シートの透光部の位置を確認する必要がなくなったので、表示素子の配置替え作業を容易に行える。
【発明を実施するための最良の形態】
【００１５】
図１は本発明の火災受信機の正面図、図２は火災受信機の表示部（表示素子は省略）を扉裏面側から見た図、図３は図２の分解斜視図、図４は火災受信機の表示部の断面図、図５は表示素子の固定構造を示す図４の概略部分拡大図、図６は地図シートの拡大図である。
【００１６】
図１において、１は火災受信機である。２は受信機１の筐体、３は筐体２の本体、４は筐体２の扉である。扉４はヒンジにより本体３に開閉可能に支持され、前面には窓孔４１が設けられている。
【００１７】
５は表示部、７は操作部である。表示部５は、地図式の表示部であり、警戒監視区域が地図５２ａ等によってグラフィック表示されている。表示部５は、扉４の裏面側であって窓孔４１に設けられ、窓孔４１を通して、警戒監視区域の地図５２ａが視認可能となっている。
【００１８】
この火災受信機１は、警戒監視区域に設けられた火災感知器、防火戸などの端末機器が接続されて、該端末機器の作動状況を監視制御するものである。そして、表示部５には、図６に示すように、これら端末機器の設置場所等に合わせて地図５２ａに透光部５２ｂが配置されており、また、図４に示すように、透光部５２ｂに合わせて、その裏面側にＬＥＤ５６が固定されており、端末機器の作動状況、例えば、火災感知器の火災感知結果を、表示部５に設けたＬＥＤ５６の点灯の状態にて表示するようにしている。このＬＥＤ５６の点灯の状態にて、その照射光が透光部５２ｂから照射されるので、使用者は、端末機器の作動状況、例えば、警戒監視区域の火災の発生状態を直接的に知ることができる。
【００１９】
つぎに、図２乃至図６に基づいて、表示部５を説明する。図において、５１は保護板、５２は地図シート、５３は挿通板、５４は固定部材としての固定シート、５５は押え部材としての押え板、５６は表示素子としての発光ダイオード（以下、ＬＥＤという）である。表示部５は、窓孔４１に対向して、扉４の裏面側に、保護板５１、地図シート５２、挿通板５３、固定シート５４、押え板５５の順で積層して配置したものである。
【００２０】
具体的には、図３に示すように、扉４の裏面に保護板５１を取付固定し、また、地図シート５２、挿通板５３、固定シート５４、押え板５５をユニット化して取付固定したものを、押え板５５の一方の側辺部側に設けた蝶番４５によって、扉４の裏面側に開閉可能に取付固定したものである。そして、図５に示すように、押え板５５の裏面側から、固定シート５４の固定穴５４ｃ及び挿通板５３の第１挿通穴５３ｃに、ＬＥＤ５６を挿入して固定したものである。
【００２１】
保護板５１は、窓孔４１を覆う矩形形状の板であって、例えば透明なポリカーボネート樹脂などからなり、窓孔４１に対向するように扉４の裏面側に設けられている。
【００２２】
地図シート５２は、矩形形状のシートであって、例えばポリエステル樹脂などからなり、窓孔４１に対向するように保護板５１の裏面側に設けられている。地図シート５２の表面側には、例えば、ダイレクト印刷などにより、図６に示すように、警戒監視区域が地図５２ａ等によってグラフィック表示されており、また、端末機器の設置場所等に合わせて地図５２ａに透光部５２ｂが配置されている。
【００２３】
ここで、地図シート５２は、地図シート５２の平面内に所定間隔で予め設定された複数のポイント（この実施例では、１８行２４列に配置されるマトリクス状のポイント）に透光部５２ｂを配置することができるように設計されており、端末機器の設置場所等に合わせて配置表示される透光部５２ｂの位置に合わせて、警戒監視区域が地図５２ａ等によってグラフィック表示されるように、図示しないパソコン上で編集され、印刷されるものである。
【００２４】
挿通板５３は、矩形形状の板であって、例えば不透明なＡＢＳ樹脂などからなり、地図シート５２の裏面側に設けられている。挿通板５３には、光の通り路としての複数の円筒状の第１挿通穴５３ｃがマトリクス状に形成されており、図示では、１８行２４列に形成されている。これは、前記した地図シート５２上に設定されるべき透光部５２ｂに対応して設けられているものである。第１挿通穴５３ｃの内径は、ＬＥＤ５６の頭部５６ａの外径とほぼ等しい径である。また、挿通板５３には、その内側であって、裏面側に、固定シート５４とほぼ同形状の切り欠き５３ｂが形成されている。
【００２５】
固定シート５４は、矩形形状のシートであって、弾性体としての例えばシリコーンゴムなどからなり、挿通板５３の裏面側、具体的には、挿通板５３の切り欠き５３ｂ内に配置されるようになっている。そのため、挿通板５３の複数の挿通穴５３ｃと、それに対応する固定シート５４の複数の固定穴５４ｃの位置合わせが容易である。また、固定シート５４には、ＬＥＤ５６の固定用の複数の円筒状の固定穴５４ｃが、複数の第１挿通穴５３ｃに対応してマトリクス状に形成されている。固定穴５４ｃの内径は、ＬＥＤ５６の頭部５６ａの外径よりも狭い径である。
【００２６】
押え板５５は、略矩形形状の板であって、例えば鋼製などからなり、固定シート５４の裏面側に設けられている。また、押え板５５は、ＬＥＤ５６の挿通用の複数の円筒状の第２挿通穴５５ｃが、複数の第１挿通穴５３ｃに対応してマトリクス状に形成されている。第２挿通穴５５ｃの内径は、ＬＥＤ５６の鍔部５６ｂの外径よりも大きい径である。
【００２７】
ＬＥＤ５６は、砲弾型の頭部５６ａと、頭部５６ａの外径よりも大きい径の鍔部５６ｂと、リード線５６ｃとを有する。ＬＥＤ５６は、その頭部５６ａを、押え板５５の裏面側から第２挿通穴５５ｃ内に挿入することにより、固定穴５４ｃ及び第１挿通穴５３ｃを介して、地図シート５２の透光部５２ｂを照射することができる。そして、固定穴５４ｃ内で固定され、また、第１挿通穴５３ｃ内で保持されるようになっている。
【００２８】
つまり、図５の断面図を用いて説明すると、ＬＥＤ５６の頭部５６ａは、まず、押え板５５の第２挿通穴５５ｃに挿入されて、つぎに、固定シート５４の固定穴５４ｃに挿入される。このとき、固定穴５４ｃの内径は、頭部５６ａの外径より小さい径であるが、弾性体であるので、頭部５６ｂの挿入によって拡径して頭部５６ｂの挿通を許容し、頭部５６は、挿通板５３の第１挿通穴５３ｃに挿入される。そして、ＬＥＤ５６の鍔部５６ｂが固定シート５４の裏面側に当接すると、固定穴５４ｃが鍔部５６ｂの挿通を許容しない径なので、個々のＬＥＤ５６は挿入方向に対して所定位置に規定されて取り付けられる。なお、他の方法として、固定穴５４ｃが鍔部５６ｂの挿通を許容する径であっても、ＬＥＤ５６の鍔部５６ｂが固定シート５４の裏面側に当接したことを確認して、ＬＥＤ５６の挿入を止めることにより、個々のＬＥＤ５６は挿入方向に対して所定位置に規定されて取り付けられるようにすることもできる。
【００２９】
このとき、固定穴５４ｃは、弾性力により縮径する方向の力が作用するので、ＬＥＤ５６の頭部５６ａを固定穴５４ｃ内で挟持して確実に固定することができる。その上、第１挿通穴５３ｃの内径は、ＬＥＤ５６の頭部５６ａの外径とほぼ等しく形成されているので、第１挿通穴５３ｃ内で頭部５６ａが破損することのないように適度に保持することができる。即ち、この固定穴５４ｃと第１挿通穴５３ｃが協働することによって、ＬＥＤ５６の頭部５６ｂをより確実に固定することができる。なお、第１挿通穴５３ｃの内径が、ＬＥＤ５６の頭部５６ａの外径よりも大きく形成されていても、固定に関して問題ない。
【００３０】
以上のように、挿通板５３、固定シート５４および押え板５５は、それらによって、表示素子取付部としてのＬＥＤ取付部８０として機能し、その裏面側から、表示素子取付用穴としての第１挿通穴５３ｃ、固定穴５４ｃ、第２挿通穴５５ｃ内に、ＬＥＤ５６が挿着される。
【００３１】
第１挿通穴５３ｃにより、ＬＥＤ５６の光は、必要時に第１挿通穴５３ｃを通って、地図シート５２を照らし、描かれた地図５２ａの透光部５２ｂを点灯させる。このとき第１挿通穴５３ｃはライトガイド的な役割を担う部材でもある。そして、第１挿通穴５３ｃは、その内径がＬＥＤ５６の頭部５６ａの外径とほぼ等しく形成されているので、ＬＥＤ５６の照射軸のばらつきを防止して一定とすることができる。
【００３２】
なお、押え板５５の第２挿通穴５５ｃの内径について、ＬＥＤ５６の頭部５６ａの外径よりも大きい径であり、かつ、ＬＥＤ５６の鍔部５６ｂの外径よりも小さい径にして、ＬＥＤ５６の鍔部５６ｂが押え板５５の裏面側に当接するようにしても、個々のＬＥＤ５６を挿入方向に対して所定位置により規定して取り付けることができる。
【００３３】
ところで、上記の通り、地図シート５２、挿通板５３、固定シート５４、押え板５５はユニット化されている。そして、ＬＥＤ５６を固定する固定部材として、1枚のシート状の固定シート５４を用いたので、挿通板５３の複数の挿通穴５３ｃと固定シート５４の複数の固定穴５４ｃの位置合わせが、個々に位置合わせする場合と比べて容易であり、組立性がよい。さらに、押え板５５によって固定シート５４を挿通板５３の裏面側に保持するので、挿通板５３の複数の挿通穴５３ｃと固定シート５４の複数の固定穴５４ｃとの保持を、個々に保持する場合と比べて容易であり、組立性がよい。
【００３４】
ここで、押え板５５として、挿通板５３の複数の第１挿通穴５３ｃに対応して複数の第２挿通穴５５ｃが形成された１枚板状の押え板５５を用いたので、挿通板５３と固定シート５４とが面状に接触して、挿通板５３の挿通穴５３ｃからの固定シート５４の固定穴５４ｃの浮き上がりを防止できるので、個々のＬＥＤ５６を挿入方向に対して所定位置を規定することができ、地図シート５２上での照度のバラツキがなくなる。なお、押え板５５は、固定シート５４を挿通板５３の裏面側に保持する構造のものであればよく、１枚板状に限らず、例えば、枠状のものであってもよい。
【００３５】
以上のように構成された表示部５は、以下のようにして扉４の裏面側に固定される。
【００３６】
まず、保護板５１を扉４の裏面側に固定する。詳細に説明すると、保護板５１には、その上下左右の辺の両端側に取付用の孔が設けられ、また、その孔に対応して、扉４の裏面側には、窓孔４１の近くにネジ棒４３が設けられている。そして、保護板５１の上記取付用の孔を、ネジ棒４３に挿通し、その状態で、ネジ棒４３にナット４４を螺合する。
【００３７】
つぎに、挿通板５３の切り欠き５３ｂに固定シート５４を載置し、その裏面側に押え板５５を取り付けた状態で、挿通板５３と押え板５５の上下左右の辺の両端側にそれぞれ設けられた取付用の孔に、ネジ４６を挿通して、ナット４７で締め付け固定して、挿通板５３、固定シート５４、押え板５５をユニット化する。
【００３８】
そして、上記ユニットを、扉４の裏面側に開閉可能に取り付ける。詳細に説明すると、押え板５５には、その一方の側辺部側に蝶番４５が設けられ、また、他方の側辺部側に固定孔４８が設けられている。扉４の裏面側には、蝶番４５に対応して蝶番取付台４９が設けられ、また、固定孔に対応して固定台６０が設けられている。そして、蝶番４５を蝶番取付台４９に取り付けて、上記ユニットを開放状態に保持する。
【００３９】
この状態で、上記ユニットの表面側、即ち、挿通板５３の表面側に地図シート５２を取り付け、地図シート５２と挿通板５３の四隅にそれぞれ設けられた取付用の孔に、リベット６１を挿通することにより、地図シート５２をユニットに取り付ける。
【００４０】
つぎに、プリント基板にリード線５６ｃを接続したＬＥＤ５６を、地図シート５２の地図５２ａの透光部５２ｂに合わせて、押え板５５の裏面側から、固定シート５４の固定穴５４ｃ及び挿通板５３の第１挿通穴５３ｃに挿入して、ＬＥＤ５６を固定する。
【００４１】
そして、上記ユニットを扉４に対して閉じて、固定孔４８に固定ネジ６２を螺入して固定台６０と固定することにより、表示部５は、扉４の裏面側に固定される。そして、扉４を閉じる。
【００４２】
端末機器の設置場所の変更などにより、建築物の階層の内部のレイアウトの変更があったときは、次のようにして表示部５を更新して、レイアウトの変更に対応する。まず受信機１の扉４を開けて、固定ネジ６２を緩めて取り外し、上記ユニットを開く。
【００４３】
つぎに、リベット６１をドライバ等により取り外して、古い地図シート５２を取り外して破棄する。次いで、新たなレイアウトの地図５２ａが印刷されたものに取り替え、再度、リベット６１により上記ユニットに取り付ける。
【００４４】
取替後、その表面側の地図シート５２の透光部５２ｂを確認しながら、必要なＬＥＤ５６を固定穴５４ｃから取り外し、レイアウト変更後の所定位置の固定穴５４ｃに移し替えて、上記ユニットに固定する。
【００４５】
そして、再度、上記ユニットを扉４に対して閉じて、固定孔４８に固定ネジ６２を螺入して固定台６０と固定することにより、表示部５は、扉４の裏面側に固定される。そして、扉４を閉じる。このようにして、表示部５はレイアウト変更に容易に対応可能であり、また、その際に、ＬＥＤ５６を容易に脱着することができて破損を防止することができるようにしながらも、確実に固定することができる。
【００４６】
ところで、上記のように構成された表示部５は、レイアウト変更時のＬＥＤ５６の配置替え作業の際に、その裏面側からでは、地図シート５２の透光部５２ｂの位置、つまり、ＬＥＤ５６の取付位置（ＬＥＤ５６が取付けられる第１挿通穴５３ｃ、固定穴５４ｃおよび第２挿通穴５５ｃの位置）を容易に判別することができず、表示部５の前面側から地図シート５２の透光部５２ｂの位置を確認する必要があったので、ＬＥＤ５６の配置替え作業が煩雑であった。そこで、本発明では、この問題点を解決するため、下記のように構成している。
【００４７】
図７はＬＥＤ取付用シートを示す図であり、図８は第２挿通穴の位置座標を確認可能な符号を記した押え板を示す図である。７０は、表示素子取付用シートとしてのＬＥＤ取付用シート７０であり、火災受信機１に付属して設けられている。
【００４８】
このＬＥＤ取付用シート７０は、地図シート５２のグラフィックの左右を反転させた反転画が表示されているものであり、つまり、地図シート５２に表示されている透光部５２ｂおよび地図５２ａの配置を、左右に反転させた状態で透光部７０ｂおよび地図７０ａを表示している。なお、ＬＥＤ取付用シート７０は、地図７０ａは表示せずに透光部７０ｂのみの表示としたり、また、透光部７０ｂ近傍に挿着されるべきＬＥＤ５６の番号を表示することもできる。また、ＬＥＤ取付用シート７０には、所定の同一間隔で配置されている複数の破線の縦線と、所定の同一間隔で配置されている複数の破線の横線とが表示され、これらによって格子が形成されている。この格子の交点は、前記した地図シート５２上に透光部５２ｂが設定されるべき複数のポイント（１８行２４列に配置される格子状のポイント）の位置を示すものであり、また、ＬＥＤ取付用シート７０には、この位置座標を確認可能な表示として、位置座標の行および列を示す符号７０ｄが記されている。
【００４９】
そのため、表示部５の裏面側でＬＥＤ取付用シート７０を目視すると、地図シート５２を裏面側から目視したことと同様のグラフィック表示となり、また符号７０ｄを読み取ることにより、地図シート５２の透光部５２ｂがどこのポイントに配置されているかを、表示部５の裏面側から容易に確認することができる。
【００５０】
また、これに対応して、図８に示すように、ＬＥＤ取付部８０の裏面側、つまり、押え板５５の裏面側にも同様に、前記した地図シート５２上に透光部５２ｂが設定されるべき複数のポイント（１８行２４列に配置される格子状のポイント）の位置座標を確認可能な符号として、位置座標の行および列を示す符号５５ｄが記されている。この符号５５ｄは、ＬＥＤ５６の取付位置、つまり、第１挿通穴５３ｃ、固定穴５４ｃおよび第２挿通穴５５ｃの位置座標を表示している。
【００５１】
そのため、ＬＥＤ５６の配置替え作業の際に、表示部５の裏面側でＬＥＤ取付用シート７０を目視して、透光部７０ｂに付されている符号７０ｄを読み取り、つぎに、符号７０ｄの位置座標と同じ符号５５ｄが付された押え板５５の第２挿通穴５５ｃ内に、ＬＥＤ５６を挿着することができるので、どの表示素子取付用穴５３ｃ、５４ｃ、５５ｃにＬＥＤ５６を挿入すればよいかが容易に判別でき、表示部５の裏面側にいながらにして、ＬＥＤ５６の配置替え作業を容易に行える。
【００５２】
なお、ＬＥＤ取付用シート７０は、ＬＥＤ取付部８０の裏面側、つまり、押え板５５の裏面側に、貼り付け等によって配置することもできる。その場合は、ＬＥＤ取付用シート７０の透光部７０ｂの位置が、ＬＥＤ５６を挿入するＬＥＤ取付用穴５３ｃ、５４ｃ、５５ｃの位置と重なるので、ＬＥＤ５６の配置替え作業を容易に行える。また、透光部７０ｂの箇所を穴に形成すると、ＬＥＤ５６の挿着が容易である。
【００５３】
上記実施例においては、挿通板５３、固定シート５４および押え板５５によりＬＥＤ取付部８０を構成したが、挿通板５３のみで構成するなどのその他の構成であってもよく、その裏面側からＬＥＤ５６を挿着できる構造のものであればよい。
【００５４】
なお、ＬＥＤ取付用シート７０の製造方法は、以下の通りである。まず、地図シート５２のグラフィックデータを図示しないパソコンで編集する。つまり、グラフィックソフトのレイヤ機能を用いて、パソコンの画面上に、図７の様な、地図シート５２上に透光部５２ｂが設定されるべく、所定間隔で予め設定された複数のポイント（１８行２４列に配置される格子状のポイント）の位置を示す格子の交点およびその位置座標を示す符号が表示されている位置確認用シートと、警戒監視区域の地図５２ａ等のグラフィックデータが表示されているグラフィックシートと、透光部表示用シートと、を積層して地図シート５２のグラフィックデータとして表示させ、この透光部表示用シート上であって、所定間隔で予め設定された複数のポイントのうちの少なくとも１つのポイントに透光部５２ｂを、マウス操作等により配置表示させ、地図シート５２のグラフィックデータとして、パソコン上で編集し、記憶する（地図シートデータ編集工程）。
【００５５】
つぎに、パソコンの画面上に、前記位置確認シートを表示させ、さらに、グラフィックソフトの反転機能を用いて、前記透光部表示用シートに表示されている透光部５２ｂの配置を、左右に反転させた状態で透光部７０ｂを表示した反転透光部表示用シート、および、前記グラフィックシートに表示されている地図５２ａの配置を、左右に反転させた状態で地図７０ａを表示した反転グラフィックシート、を積層して表示させ、ＬＥＤ取付用シート７０のグラフィックデータとして、パソコン上で編集し、記憶する（ＬＥＤ取付用シートデータ編集工程）。
【００５６】
そして、上記編集されたＬＥＤ取付用シート７０のグラフィックデータを、所定のシートに印刷し、ＬＥＤ取付用シート７０を作る（ＬＥＤ取付用シート印刷工程）。
【００５７】
なお、ＬＥＤ取付用シート７０のグラフィックデータとしては、少なくとも透光部７０ｂが表示されていればよいので、前記反転透光部表示用シートのみが用いられていればよく、前記位置確認シート、反転グラフィックシートは、必要に応じて用いればよい。また、ＬＥＤ取付用シートデータ編集工程、およびＬＥＤ取付用シート印刷工程は、地図シートデータ編集工程の後に自動的に実施されてもよいし、必要に応じて手動で実施されてもよい。
【００５８】
このようにして製造されたＬＥＤ取付用シート７０を利用することによって、表示部５の前面側から地図シート５２の透光部５２ｂの位置を確認する必要がなくなったので、ＬＥＤ５６の配置替え作業を容易に行える。
【図面の簡単な説明】
【００５９】
【図１】本発明の火災受信機の正面図である。
【図２】火災受信機の表示部（表示素子は省略）を扉裏面側から見た図である。
【図３】図２の分解斜視図である。
【図４】火災受信機の表示部の断面図である。
【図５】表示素子の固定構造を示す図４の概略部分拡大図である。
【図６】地図シートの拡大図である。
【図７】ＬＥＤ取付用シートを示す図である。
【図８】第２挿通穴の位置座標を確認可能な符号を記した押え板を示す図である。
【符号の説明】
【００６０】
１  火災受信機、２  筐体、３  本体、４  扉、５  表示部、７  操作部、４１  窓孔、４３  ネジ棒、４４  ナット、４５  蝶番、４６  ネジ、４７  ナット、４８  固定孔、４９  蝶番取付台、５１  保護板、５２  地図シート、５２ａ  地図、５２ｂ  透光部、５３  挿通板、５３ｂ  切り欠き、５３ｃ  第１挿通穴、５４  固定シート（固定部材）、５４ｃ  固定穴、５５  押え板（押え部材）、５５ｃ  第２挿通穴、５５ｄ  符号、５６  ＬＥＤ（表示素子）、５６ａ  頭部、５６ｂ  鍔部、５６ｃ  リード線、６０  固定台、６１  リベット、６２  固定ネジ、７０  ＬＥＤ取付用シート（表示素子取付用シート）、７０ａ  地図、７０ｂ  透光部、７０ｄ  符号、８０  ＬＥＤ取付部（表示素子取付部）。
【図１】
2008158809.tif 000003
【図２】
2008158809.tif 000004
【図３】
2008158809.tif 000005
【図４】
2008158809.tif 000006
【図５】
2008158809.tif 000007
【図６】
2008158809.tif 000008
【図７】
2008158809.tif 000009
【図８】
2008158809.tif 000010